【手続補正書】
【提出日】平成25年8月20日(2013.8.20)
【手続補正１】
【補正対象書類名】明細書
【補正対象項目名】００１５
【補正方法】変更
【補正の内容】
【００１５】
請求項３に記載の発明は、請求項１または請求項２に記載のモールド剥離装置において、前記モールドの張力を調整する張力調整部を有するモールド剥離装置である。
【手続補正２】
【補正対象書類名】明細書
【補正対象項目名】００１７
【補正方法】変更
【補正の内容】
【００１７】
【図１】転写システムの概略構成を示す正面図である。
【図２】図１におけるＩＩ−ＩＩ矢視図である。
【図３】図１におけるＩＩＩ−ＩＩＩ矢視図である。
【図４】図１におけるＩＶ−ＩＶ矢視図である。
【図５】モールド剥離装置の動作を示す図である。
【図６】モールド剥離装置の動作を示す図である。
【図７】モールド剥離装置の動作を示す図である。
【図８】張力調整部の概要を示す図である。
【図９】転写の概要を示す図である。
【図１０】変形例に係るモールド剥離装置の概要を示す図であり、図１に対応した図である。
【図１１】別の変形例に係るモールド剥離装置の概要を示す図であり、図１に対応した図である。
【手続補正３】
【補正対象書類名】明細書
【補正対象項目名】００２０
【補正方法】変更
【補正の内容】
【００２０】
シート状モールド移送位置決め装置３は、モールド原反設置装置９とモールド巻き取り装置１１とを備えて構成されており、シート状のモールド（シート状モールド）ＭＡを所定の箇所（たとえばモールド原反設置装置９とモールド巻き取り装置１１との間）で平板状にして、この平板状のシート状モールドＭＡを所定の方向（たとえば、図１の右側から左側に向かう方向）に移送して位置決めする装置である。
【手続補正４】
【補正対象書類名】明細書
【補正対象項目名】００２４
【補正方法】変更
【補正の内容】
【００２４】
平板状のシート状モールドＭＡの移送位置決めは、平板状のシート状モールドＭＡの微細な転写パターンＭＢ（図９参照）を、転写装置５を用いて平板状の被成型品Ｗに転写をするとき、この転写の準備のために、また、この転写によって被成型品Ｗに貼り付いているシート状モールドＭＡを、モールド剥離装置７を用いて被成型品Ｗから剥がすとき、この剥がしの準備のために、なされるものである。
【手続補正５】
【補正対象書類名】明細書
【補正対象項目名】００３５
【補正方法】変更
【補正の内容】
【００３５】
張力付与手段１５について例を掲げて詳しく説明すると、モールド原反設置装置９に設置されているモールド原反ＭＣは、パウダークラッチ等のトルク制御クラッチを介してモータ等のアクチュエータの回転出力軸に連結されて、回転するようになっている。モールド巻き取り装置１１で巻き取られるシート状モールド（巻き取り済みモールド）ＭＤは、サーボモータ等のアクチュエータの回転出力軸に連結されて、回転するようになっている。
【手続補正６】
【補正対象書類名】明細書
【補正対象項目名】００３７
【補正方法】変更
【補正の内容】
【００３７】
この場合において、モールド原反設置装置９に設置されているモールド原反ＭＣの半径を「Ｒ１」とし、モールド巻き取り装置１１における巻き取り済みモールドＭＤの半径を「Ｒ２」とすると、「Ｔ１／Ｒ１＜Ｔ２／Ｒ２」になっている。これにより、所定の張力Ｆ１（Ｆ１＝Ｔ２／Ｒ２−Ｔ１／Ｒ１）を保って、モールド原反設置装置９とモールド巻き取り装置１１との間で延出している平板状のシート状モールドＭＡが、モールド巻き取り装置１１側に移送されるようになっている。
【手続補正７】
【補正対象書類名】明細書
【補正対象項目名】００４４
【補正方法】変更
【補正の内容】
【００４４】
この後、剥離装置７を用いて、シート状モールドＭＡを被成型品Ｗから離すと、図９（ｃ）に示すように、被成型品Ｗ（紫外線硬化樹脂Ｗ２）に形成された微細な転写パターン（シート状モールドＭＡの転写パターンＭＢとは反転しているパターン）が現れる。
【手続補正８】
【補正対象書類名】明細書
【補正対象項目名】００６９
【補正方法】変更
【補正の内容】
【００６９】
そして、シート状モールドＭＡに貼り付いている被成型品Ｗが被成型品保持体１９の上方に位置している状態を、Ｚ軸方向から見ると、たとえば、被成型品Ｗが被成型品保持体１９の上面（被成型品保持体１９）の内側に存在している。
【手続補正９】
【補正対象書類名】明細書
【補正対象項目名】００７８
【補正方法】変更
【補正の内容】
【００７８】
シート状モールドＭＡは、下流側（モールド巻き取り装置１１側）で上側ローラ４１に巻き掛けられており、また、シート状モールドＭＡは、上流側（モールド原反設置装置９側）で下側ローラ３９に巻き掛けられている。
【手続補正１０】
【補正対象書類名】明細書
【補正対象項目名】００９７
【補正方法】変更
【補正の内容】
【００９７】
このように動作すると、ローラ支持体４３の移動に同期して剥離ローラ２３（下側ローラ３９，上側ローラ４１）が回転しつつ、被成型品Ｗからのシート状モールドＭＡの剥離（剥がし）がなされるようになっている。すなわち、剥離ローラ２３とシート状モールドＭＡとの間で滑りが無い状態で、剥がしが完了した部位と剥がしが未完了な部位との直線状の境界（シート状モールドＭＡの幅方向に延伸している境界）が、シート状モールドＭＡの長手方向の一端部から他端部に向かって（たとえば図１の左から右に向かって）移動し、この移動が完了したときに剥離が終了するようになっている。
【手続補正１１】
【補正対象書類名】明細書
【補正対象項目名】０１０２
【補正方法】変更
【補正の内容】
【０１０２】
一方、エアーシリンダ６１のピストンロッドを下降して、上側クランプ体５３を下降し、シート状モールドＭＡを把持した状態で、補助シリンダ６３のピストンロッドを下降すると、補助シリンダ６３のピストンロッドの下端が上側クランプ体５３に接触し、上側クランプ体５３を下方に押すようになっている。
【手続補正１２】
【補正対象書類名】明細書
【補正対象項目名】０１０６
【補正方法】変更
【補正の内容】
【０１０６】
張力調整部２７は、ベース部材６５に一体的に支持されてＺ軸方向に延びているガイドバー６７と、ガイドバー６７にリニアガイドベアリング（図示せず）を介して係合し上下方向に移動自在になっている軸受け部材６９と、この軸受け部材６９にＹ軸方向に延びている軸Ｃ３を回転中心にして回転自在に設けられているローラ４５とを備えて構成されている。ベース部材６５は、たとえば、図示しないブラケットを介して基台１３に一体的に設けられている。
【手続補正１３】
【補正対象書類名】明細書
【補正対象項目名】０１０７
【補正方法】変更
【補正の内容】
【０１０７】
ローラ４５は、前述したように、剥離ローラ２３とモールド巻き取り装置１１との間に存在している。ローラ４５は、たとえば、上側ローラ４１やモールド巻き取り装置１１の巻き取り済みモールドＭＤよりも下方に位置しており、ローラ４５の下側に、シート状モールドＭＡが巻き掛けられている。なお、ローラ４５の幅（Ｙ軸方向の寸法）は、シート状モールドＭＡの幅よりも大きくなっており、Ｙ軸方向で、ローラ４５の中心とシート状モールドＭＡの中心とがお互いに一致している。
【手続補正１４】
【補正対象書類名】明細書
【補正対象項目名】０１１７
【補正方法】変更
【補正の内容】
【０１１７】
張力検出部による張力の検出は、たとえば、ローラ４５の軸受けに発生する荷重を検出するロードセル（図示せず）を用いてなされる。また、方向制御弁７７の切り替えは、ロードセルで検出した荷重が所定の閾値よりも大きいときには、方向制御弁７７のソレノイドＳｏｌｂをＯＦＦし、ロードセルで検出した荷重が所定の閾値よりも小さいときには、方向制御弁７７のソレノイドＳｏｌｂをＯＮするようにしてなされる。
【手続補正１５】
【補正対象書類名】明細書
【補正対象項目名】０１４０
【補正方法】変更
【補正の内容】
【０１４０】
これに対して、図６（ｂ）で示すように、下側ローラ３９と上側ローラ４１とによるシート状モールドＭＡの剥がしが終了した状態（下側ローラ３９と上側ローラ４１とが被成型品保持体１９から離れて被成型品保持体１９の上流側に位置している状態）や剥がし終える直前の状態では、上側クランプ体５３と下側クランプ体５５とによるシート状モールドＭＡの保持がないと、下側ローラ３９と上側ローラ４１とがシート状モールドＭＡにおよぼす力で、転写装置５側に存在しているシート状モールドＭＡがずれてしまう。
【手続補正１６】
【補正対象書類名】図面
【補正対象項目名】図１０
【補正方法】変更
【補正の内容】
【図１０】
2012081618.tif 000001